(57)【要約】【課題】  単純な作業でフラップを閉鎖することができる包装箱を提供すること。【解決手段】  開口を閉鎖するフラップが形成される包装箱であって、フラップの先端には突部が形成され、包装箱の天面には突部が挿入される係合孔および指かけ孔が形成され、指かけ孔は、係合孔の前記指かけ孔側の辺を開口とは反対側の端部まで延長した領域を避けて形成される。【選択図】  図１
2014005057.tif 000002
【特許請求の範囲】
【請求項１】
開口を閉鎖するフラップが形成される包装箱であって、
前記フラップの先端には突部が形成され、
前記包装箱の天面には前記突部が挿入される係合孔および指かけ孔が形成され、
前記指かけ孔は、前記係合孔の前記指かけ孔側の辺を前記開口とは反対側の端部まで延長した領域を避けて形成されることを特徴とする包装箱。
【請求項２】
前記突部が前記係合孔の前記指かけ孔側の辺に当接するとき、前記係合孔の両側には所定のクリアランスが形成されるように、前記係合孔の前記指かけ孔側の辺の幅寸法が設定され、
前記突部が前記係合孔の前記指かけ孔側の辺に当接するとき、前記所定のクリアランスがが小さくなるように、前記係合孔の前記開口側の辺の幅寸法が設定されることを特徴とする請求項１に記載の包装箱。
【請求項３】
前記突部が前記係合孔の前記指かけ孔側の辺に当接するとき、前記突部が前記係合孔から突出する量が最大となるように、前記係合孔を形成することを特徴とする請求項１または２に記載の包装箱。
【請求項４】
前記天面と前記天面に連続する２つ側面の間に切り欠きがそれぞれ形成され、
前記天面の前記開口側の端部から前記係合孔の前記開口側の辺までの領域が、前記天面にて前記切り欠きを結ぶ線から前記天面の前記開口側の端部までの領域に含まれることを特徴とする請求項１ないし３のいずれか１項に記載の包装箱。
【請求項５】
前記包装箱は、個装箱に収納される内箱であることを特徴とする請求項１ないし４のいずれか１項に記載の包装箱。
【発明の詳細な説明】
【技術分野】
【０００１】
本発明は、物品を包装する包装箱に関する。
【背景技術】
【０００２】
従来、外フラップに形成した舌片部を内フラップの係合孔部に押し込み舌片素材の復元弾性力により抜け止め係合する包装箱が知られている（特許文献１参照）。
【先行技術文献】
【特許文献】
【０００３】
【特許文献１】特開２００５−２３１６４８号公報
【発明の概要】
【発明が解決しようとする課題】
【０００４】
しかしながら、特許文献１では、外フラップを閉鎖する際に連設された舌片部を折り曲げた後に、舌片部の曲げ角度を調整しながら、内フラップの係合孔部にに入れる必要がある。そのため、作業工数が増加し、生産コストが高くなる原因となっている。
【０００５】
また、このような複雑な作業は人手では容易に行えても、自動化、機械化するのことができない。
【０００６】
本発明は、このような課題を解決するためになされたものであり、その目的は、単純な作業でフラップを閉鎖することができる包装箱を提供することを目的とする。
【課題を解決するための手段】
【０００７】
上記目的を達成するため、本発明は、開口を閉鎖するフラップが形成される包装箱であって、前記フラップの先端には突部が形成され、前記包装箱の天面には前記突部が挿入される係合孔および指かけ孔が形成され、前記指かけ孔は、前記係合孔の前記指かけ孔側の辺を前記開口とは反対側の端部まで延長した領域を避けて形成されることを特徴とする。
【発明の効果】
【０００８】
本発明によれば、単純な作業でフラップを閉鎖することができる包装箱を提供することができる。
【図面の簡単な説明】
【０００９】
。
【図１】本発明の一実施形態である包装箱を説明する図である。
【図２】本発明を実施した包装箱を内箱として構成した梱包システムを説明する図である。
【図３】仕切り板２、包装箱３およびトレイ４を個装箱１に収納した後、仕切り部１ａで蓋をした状態を示す図である。
【図４】境界線３０３にてフラップ３０２を折り曲げて、突部３０５が天面３０７の開口３００側の端部に当接している状態を示す図である。
【図５】突部３０５が係合孔３０８の２つの指かけ孔３０９側の辺に当接している状態を示す図である。
【図６】突部３０５が係合孔３０８の開口３００側の辺に当接している状態を示す図である。
【発明を実施するための形態】
【００１０】
以下、本発明の好ましい実施の形態を添付の図面に基づいて詳細に説明する。
【００１１】
図２は、本発明を実施した包装箱を内箱として構成した梱包システムを説明する図である。
【００１２】
本実施形態における梱包システムは、例えばレンズ交換式のデジタルカメラを梱包するものである。図２に図示するように、本実施形態における梱包システムは、個装箱１、仕切り板２、包装箱３およびトレイ４で構成されている。個装箱１に仕切り板２を入れることで、交換レンズを収納する空間を形成している。包装箱３には、デジタルカメラの付属品などが収納される。包装箱３は、個装箱１内で底面側に配置される。トレイ４はポリプロピレン等の合成樹脂で形成されており、収納部４ａにはデジタルカメラボディが収納され、収納部４ｂには、ストロボユニットが収納される。トレイ４は、個装箱１内で包装箱３の上に配置される。個装箱１には仕切り部１ａおよびフラップ１ｂが形成されている。
【００１３】
図３は、仕切り板２、包装箱３およびトレイ４を個装箱１に収納した後、仕切り部１ａで蓋をした状態を示す図である。
【００１４】
図３に示すように、仕切り部１ａによって、フラップ１ｂを閉鎖したときにも仕切り部１ａとフラップ１ｂとの間に、取扱説明書などを収納する空間が形成される。
【００１５】
図１は、本発明の一実施形態としての包装箱３を説明する図である。図１（ａ）は包装箱３のフラップ３０２が開放された状態を示している。図１（ｂ）は図１（ａ）の状態となっている包装箱３を天面３０７から見た図である。
【００１６】
図１（ａ）および図１（ｂ）に図示するように、包装箱３には、デジタルカメラの付属品などを収納する開口３００が形成されている。包装箱３の底面３０１には、フラップ３０２が形成されており、境界線３０３にてフラップ３０２を折り曲げることで、フラップ３０２が開口３００を閉鎖することができる。フラップ３０２の先端部３０４には、突部３０５および指かけ部３０６が形成されている。突部３０５は先端部３０４から突出して形成され、指かけ部３０６は先端部３０４から凹んで形成される。
【００１７】
図１（ａ）および図１（ｂ）に図示するように、包装箱３の天面３０７には、係合孔３０８および２つの指かけ孔３０９が形成されている。係合孔３０８は天面３０７の開口３００側に形成されており、２つの指かけ孔３０９は内容物の収納方向に略中央に形成されている。係合孔３０８は略台形形状を有しており、２つの指かけ孔３０９は内容物の収納方向と直交する方向に並んで形成される。
【００１８】
境界線３０３にてフラップ３０２を折り曲げて、フラップ３０２が開口３００を閉鎖するとき、突部３０５が係合孔３０８に挿入される。突部３０５が係合孔３０８に挿入された後、フラップ３０２を折り曲げる力を解除しても、突部３０５が係合孔３０８に係止されて、フラップ３０２は開口３００を閉鎖した状態を維持する。
【００１９】
図１（ｂ）に図示するように、係合孔３０８の開口３００側（開口側）の辺の幅寸法がＬ１に設定され、係合孔３０８の２つの指かけ孔３０９側（指かけ孔側）の辺の幅寸法がＬ２に設定されている。係合孔３０８の幅寸法Ｌ１は突部３０５の幅寸法Ｗと等しいか、突部３０５の幅寸法Ｗよりわずかに大きい寸法となっている。係合孔３０８の幅寸法Ｌ２は係合孔３０８の幅寸法Ｌ１より大きい寸法となっている。
【００２０】
図１（ａ）および図１（ｂ）に図示するように、天面３０７と天面３０７に連続する２つ側面３１４との間には、切り欠き３１２がそれぞれ形成される。
【００２１】
図１（ｂ）に図示するように、天面３０７の開口３００側の端部から係合孔３０８の開口３００側の辺までの領域ａが、天面３０７にて２つの切り欠き３１２を結ぶ線から天面３０７の開口３００側の端部までの領域Ａに含まれるように、切り欠き３１２は形成される。
【００２２】
図１（ｂ）に図示するように、２つの指かけ孔３０９は、天面３０７にて係合孔３０８の２つの指かけ孔３０９側の辺を天面３０７の開口３００と反対側の端部まで延長した領域Ｂを避けて形成される。
【００２３】
個装箱１に収納された包装箱３を取り出す際に、２つの指かけ孔３０９にそれぞれ指を入れることで、包装箱３を個装箱１から取り出しやすくなる。
【００２４】
図１（ａ）に図示するように、２つ側面３１４の開口３００側の端部であって、切り欠き３１２が形成される部分と高さ方向に反対側となる部分には、面取り部３１３が形成される。包装箱３を個装箱１に収納する際に、面取り部３１３が個装箱１の縁に当接することで、包装箱３は個装箱１内で適切な位置に案内される。
【００２５】
図４〜図６を用いて、境界線３０３にてフラップ３０２を折り曲げて、フラップ３０２が開口３００を閉鎖する際の様子を説明する。
【００２６】
図４（ａ）〜図４（ｃ）は、境界線３０３にてフラップ３０２を折り曲げて、突部３０５が天面３０７の開口３００側の端部に当接している状態を示す図である。図４（ａ）は、この状態における包装箱３を天面３０７から見た図である。図４（ｂ）は、図４（ａ）のＣ−Ｃ断面を示す図である。図４（ｃ）は、この状態における包装箱３をフラップ３０２から見た図である。境界線３０３から先端部３０４までの寸法は、開口３００の高さ寸法と略等しいか、それよりも小さいので、図４（ｃ）に図示するように、先端部３０４は天面３０７の下面に入り込んでいる。
【００２７】
図４に示す状態にて、フラップ３０２に閉鎖する方向の力を加えると、突部３０５が天面３０７の領域ａを押圧する。上述したように、天面３０７の領域ａは、天面３０７の領域Ａに含まれる。天面３０７の領域Ａは、２つの切り欠き３１２を結ぶ線から天面３０７の開口３００側の端部までの領域であるので、突部３０５が天面３０７の領域ａを押圧することで、天面３０７の領域Ａは、上方に反るように弾性変形する。
【００２８】
これによって、突部３０５が係合孔３０８に挿入され、図５（ａ）および図５（ｂ）に示す状態となる。
【００２９】
図５（ａ）および図５（ｂ）は、突部３０５が係合孔３０８の２つの指かけ孔３０９側の辺に当接している状態を示す図である。図５（ａ）は、この状態における包装箱３を天面３０７から見た図である。図５（ｂ）は、図５（ａ）のＣ−Ｃ断面を示す図である。
【００３０】
係合孔３０８の２つの指かけ孔３０９側の辺の幅寸法がＬ２が突部３０５の幅寸法Ｗより十分大きいので、突部３０５を係合孔３０８に挿入しやすくなっている。また、突部３０５の両側に所定のクリアランスができるので、突部３０５を係合孔３０８に挿入する際に、突部３０５の側面を痛めてしまうリスクを低減することができる。
【００３１】
図５に示す状態にて、フラップ３０２に閉鎖する方向の力を緩めると、フラップ３０２の復元力によってフラップ３０２は開口３００を開放する方向に変形して、図６（ａ）および図６（ｂ）に示す状態となる。
【００３２】
図６（ａ）および図６（ｂ）は、突部３０５が係合孔３０８の開口３００側の辺に当接している状態を示す図である。図６（ａ）は、この状態における包装箱３を天面３０７から見た図である。図６（ｂ）は、図６（ａ）のＣ−Ｃ断面を示す図である。
【００３３】
係合孔３０８の開口３００側の辺の幅寸法がＬ１が突部３０５の幅寸法Ｗと等しいか、突部３０５の幅寸法Ｗよりわずかに大きい寸法であるので、突部３０５の両側にはクリアランスがほとんどなくなる。したがって、図６（ａ）および図６（ｂ）に示す状態では、フラップ３０２はガタなく開口３００を閉鎖する状態となっている。
【００３４】
図６に示す状態となったフラップ３０２を開放する場合には、２つの指かけ部３０６にそれぞれ指を入れ、天面３０７を上方に押し上げることによって突部３０５と係合孔３０８との係合を解除させる。また、２つの指かけ部３０６にそれぞれ指を入れ、フラップ３０２に開放する方向の力を与える。これによっても突部３０５が変形して突部３０５と係合孔３０８との係合が解除される。
【００３５】
ここで、２つの指かけ孔３０９を天面３０７領域Ｂを避けて形成する理由について説明する。上述したように、個装箱１に収納された包装箱３を取り出す際には、２つの指かけ孔３０９にそれぞれ指を入れて包装箱３を個装箱１から取り出すので、２つの指かけ孔３０９の周囲は上方に引っ張られるように変形する。
【００３６】
天面３０７の領域Ｂ上にこのような指かけ孔を形成すると、包装箱３を個装箱１から取り出す際に、指かけ孔の周囲の変形が係合孔３０８まで及んでしまうおそれがある。
【００３７】
指かけ孔の周囲の変形が係合孔３０８まで及んでしまうと、突部３０５と係合孔３０８との係合が解除され、フラップ３０２を開放されてしまう。包装箱３を個装箱１から取り出している途中にフラップ３０２が開放されてしまうと、包装箱３に収納されているデジタルカメラの付属品などが包装箱３からこぼれ落ちてしまい、付属品を破損させるリスクがある。
【００３８】
本実施形態では、このような点を考慮して、２つの指かけ孔３０９を天面３０７領域Ｂを避けて形成している。
【００３９】
また、図６（ｂ）に図示するように、突部３０５が係合孔３０８の開口３００側の辺に当接している状態では、フラップ３０２が底面３０１に対して略９０°の角度になるので、突部３０５が係合孔３０８から突出する量が最大となる。したがって、２つの指かけ孔３０９にそれぞれ指を入れて包装箱３を個装箱１から取り出すことで、天面３０７が多少引っ張られても突部３０５と係合孔３０８との係合は維持される。
【符号の説明】
【００４０】
３  包装箱
３００  開口
３０１  底面
３０２  フラップ
３０５  突部
３０７  天面
３０８  係合孔
３０９  指かけ孔
３１０  張り出し部
【図１】
2014005057.tif 000003
【図２】
2014005057.tif 000004
【図３】
2014005057.tif 000005
【図４】
2014005057.tif 000006
【図５】
2014005057.tif 000007
【図６】
2014005057.tif 000008